(57)【要約】      （修正有）【課題】施工者及び施工対象の屋根への負荷が小さく、仕様の異なる様々な太陽電池パネルに加工を加えることなく容易に適用することができる汎用性の高い太陽電池パネル設置装置を提供する。【解決手段】折板屋根３８上に太陽電池を設置するための装置であって、Ｃの字型の断面形状を成し、屋根が成す山４０の部位を横切る方向に、開口部を屋根の直上方向に向けて設置されるレール部材２と、コの字型の断面形状を成し、レール部材２の内側で滑り動くことが可能な状態に設置されるランナー部材と、ランナー部材に係止され、太陽電池をレール部材２に当接させた状態で押止するためのパネル押止部材１６と、レール部材２を、屋根上の所定位置に定着させるレール定着部材と、を有し、太陽電池の対向する両端部がレール部材２で保持され、レール部材２の高さが、屋根から突出するボルト４２の高さより高い。【選択図】図２
2014201973.tif 000002
【特許請求の範囲】
【請求項１】
重ね式折板屋根上に、タイトフレームボルトを利用せずに、１つ以上の太陽電池パネルを設置するための太陽電池パネル設置装置であって、
Ｃの字型の断面形状を成し、前記重ね式折板屋根が成す山谷形状の山の部位を横切る方向に、前記重ね式折板屋根上に直に、前記Ｃの字の開口部を前記重ね式折板屋根の直上方向に向けて設置されるレール部材と、
コの字型の断面形状を成し、前記レール部材の内側で滑り動くことが可能な状態に、前記コの字の開口部を前記レール部材底面に向けて設置されるランナー部材と、
前記ランナー部材に係止され、前記太陽電池パネルを前記レール部材に当接させた状態で押止するためのパネル押止部材と、
前記レール部材を、前記重ね式折板屋根上の所定位置に定着させるレール定着部材と、を有し、
一の前記太陽電池パネルの対向する両端部が前記レール部材で保持され、
前記レール部材の高さが、前記重ね式折板屋根上に突出している前記タイトフレームボルトの高さより高いことを特徴とする太陽電池パネル設置装置。
【請求項２】
前記パネル押止部材が、前記太陽電池パネルを敷設する領域の端部において１つの前記太陽電池パネルを押止する片側押止部材と、前記太陽電池パネルを敷設する領域の内部において左右両側に２つの前記太陽電池パネルを押止する前記両側押止部材と、を含むことを特徴とする請求項１に記載の太陽電池パネル設置装置。
【請求項３】
前記片側押止部材が、前記太陽電池パネルを上から押さえる第一部位、該第一部位より低い位置にあり前記片側押止部材を前記ランナー部材にボルト止めする第二部位及び該第二部位より低い位置にあり前記レール部材に接する第三部位から成る三段の階段形状であり、
前記両側押止部材が、前記太陽電池パネルを上から押さえる第四部位及び前記両側押止部材を前記ランナー部材にボルト止めする第五部位から成る二段の階段形状であることを特徴とする請求項２に記載の太陽電池パネル設置装置。
【請求項４】
レール定着部材が、ターンナット部材を含み、
前記レール部材底面には、該レール部材長手方向に、前記重ね式折板屋根が成す山谷形状の山の部位の間隔に合わせた所定の間隔で開口部が設けられ、
前記重ね式折板屋根が成す山谷形状の山の部位の頂上部に穴を開け、該穴に前記ターンナット部材を挿入し、漏水防止用パッキン部材と共に、前記レール部材底面に備わる前記開口部に通したボルト部材で締め付けることによって、前記レール部材を前記重ね式折板屋根上に定着させることを特徴とする請求項１乃至３の何れか一に記載の太陽電池パネル設置装置。
【請求項５】
前記重ね式折板屋根が成す山谷形状における１つ以上の山を隔てた所定の間隔で、前記重ね式折板屋根が成す山谷形状の山の部位の頂上部に穴が開けられることを特徴とする請求項４に記載の太陽電池パネル設置装置。
【請求項６】
前記レール部材が、異なる長さのレール構成部材どうしを、該各レール構成部材の側面に設けた開口部を利用して連結することで形成されることを特徴とする請求項１乃至５の何れか一に記載の太陽電池パネル設置装置。
【請求項７】
前記太陽電池パネルが備えるケーブルを前記重ね式折板屋根から離した状態で拘持するケーブルガイド部材を有し、
前記ケーブルガイド部材が、前記レール部材底面に備わる開口部にボルト止めされ、
前記ケーブルガイド部材が備える穴に通した結束バンドによって、前記ケーブルが該ケーブルガイド部材に括り付けられることを特徴とする請求項４に記載の太陽電池パネル設置装置。
【発明の詳細な説明】
【技術分野】
【０００１】
重ね式折板屋根上に太陽電池パネルを設置するための装置の技術に関する。
【背景技術】
【０００２】
近年、建物の屋上に太陽電池パネルを敷設し、当該太陽電池パネルが発電した電力を設置の建物で使用したり外部（電力会社など）に売電したりする取り組みが盛んに行われている。
【０００３】
そのような環境下、太陽電池パネルそのものの技術開発は勿論のことであるが、太陽電池パネルを建物の屋上に設置するための装置についても盛んに技術開発が行われ、様々な提案がなされている。
【０００４】
その中でも、工場・カーポート・車庫などの鉄骨の建物に多く使用される金属屋根である折板屋根については、形状が独特であり物件数も多いため、太陽電池パネルを敷設するための装置の技術開発が盛んに行われているという現状が有る。例えば、特許文献１乃至４では、折板屋根上に太陽電池パネルを敷設するものであって、レール状部材を使用した技術に関する提案がなされている。特に、特許文献１では、多数の固定方法が存在する折板屋根の中でも最もオーソドックスな方法であるということができる重ね式折板屋根を対象とした技術について提案がなされている。
【先行技術文献】
【特許文献】
【０００５】
【特許文献１】特開２００５−１５５０４０号公報
【特許文献２】特開２０１１−２３６６１１号公報
【特許文献３】特開２０１２−１６７４５５号公報
【特許文献４】特開２００１−０４０８４５号公報
【発明の概要】
【発明が解決しようとする課題】
【０００６】
しかしながら、上記従来技術においては、太陽電池パネルを敷設する装置の構成が大掛かり、かつ、複雑で、部品点数も多く、施工方法が煩雑であるという問題点があった。
【０００７】
また、上記従来技術においては、装置の構成部品一つひとつが複雑な形状をしており、敷設する太陽電池パネルの大きさ・形状等の仕様や敷設する屋根の仕様に合わせて、各構成部品を加工する必要があるという問題点もあった。
また、上記従来技術においては、装置が大掛かりであるため、装置全体の重さが重くなり、屋根に掛かる負荷が大きいという問題点もあった。
【０００８】
また、上記従来技術においては、敷設する太陽電池パネルへの加工が必要になるという問題点もあった。例えば、特許文献１の段落００３４などには、敷設する太陽電池パネルに固定用ボルトやナットを螺着する旨の記載がある。
【０００９】
そこで本発明では、上記従来技術の問題点に鑑み、施工者及び施工対象の屋根への負荷が小さく、仕様が異なる場合でも太陽電池パネルには加工を加えずに、容易に適用することができる汎用性の高い太陽電池パネル設置装置を提案することを目的とする。
【課題を解決するための手段】
【００１０】
開示する太陽電池パネル設置装置の一形態は、重ね式折板屋根上に、タイトフレームボルトを利用せずに、１つ以上の太陽電池パネルを設置するための太陽電池パネル設置装置であって、Ｃの字型の断面形状を成し、前記重ね式折板屋根が成す山谷形状の山の部位を横切る方向に、前記重ね式折板屋根上に直に、前記Ｃの字の開口部を前記重ね式折板屋根の直上方向に向けて設置されるレール部材と、コの字型の断面形状を成し、前記レール部材の内側で滑り動くことが可能な状態に、前記コの字の開口部を前記レール部材底面に向けて設置されるランナー部材と、前記ランナー部材に係止され、前記太陽電池パネルを前記レール部材に当接させた状態で押止するためのパネル押止部材と、前記レール部材を、前記重ね式折板屋根上の所定位置に定着させるレール定着部材と、を有し、一の前記太陽電池パネルの対向する両端部が前記レール部材で保持され、前記レール部材の高さが、前記重ね式折板屋根上に突出している前記タイトフレームボルトの高さより高いことを特徴とする。
【００１１】
さらに、開示する太陽電池パネル設置装置の一形態は、上記構成に加え、前記パネル押止部材が、前記太陽電池パネルを敷設する領域の端部において１つの前記太陽電池パネルを押止する片側押止部材と、前記太陽電池パネルを敷設する領域の内部において左右両側に２つの前記太陽電池パネルを押止する前記両側押止部材と、を含むことを特徴とする。
【００１２】
さらに、開示する太陽電池パネル設置装置の一形態は、上記構成に加え、前記片側押止部材が、前記太陽電池パネルを上から押さえる第一部位、該第一部位より低い位置にあり前記片側押止部材を前記ランナー部材にボルト止めする第二部位及び該第二部位より低い位置にあり前記レール部材に接する第三部位から成る三段の階段形状であり、前記両側押止部材が、前記太陽電池パネルを上から押さえる第四部位、前記両側押止部材を前記ランナー部材にボルト止めする第五部位から成る二段の階段形状であることを特徴とする。
【００１３】
さらに、開示する太陽電池パネル設置装置の一形態は、上記構成に加え、レール定着部材が、ターンナット部材を含み、前記レール部材底面には、該レール部材長手方向に、前記重ね式折板屋根が成す山谷形状の山の部位の間隔に合わせた所定の間隔で開口部が設けられ、前記重ね式折板屋根が成す山谷形状の山の部位の頂上部に穴を開け、該穴に前記ターンナット部材を挿入し、漏水防止用パッキン部材と共に、前記レール部材底面に備わる前記開口部に通したボルト部材で締め付けることによって、前記レール部材を前記重ね式折板屋根上に定着させることを特徴とする。
【００１４】
さらに、開示する太陽電池パネル設置装置の一形態は、上記構成に加え、前記重ね式折板屋根が成す山谷形状における１つ以上の山を隔てた所定の間隔で、前記重ね式折板屋根が成す山谷形状の山の部位の頂上部に穴が開けられることを特徴とする。
【００１５】
さらに、開示する太陽電池パネル設置装置の一形態は、上記構成に加え、前記レール部材が、異なる長さのレール構成部材どうしを、該各レール構成部材の側面に設けた開口部を利用して連結することで形成されることを特徴とする。
【００１６】
さらに、開示する太陽電池パネル設置装置の一形態は、上記構成に加え、前記太陽電池パネルが備えるケーブルを前記重ね式折板屋根から離した状態で拘持するケーブルガイド部材を有し、前記ケーブルガイド部材が、前記レール部材底面に備わる開口部にボルト止めされ、前記ケーブルガイド部材が備える穴に通した結束バンドによって、前記ケーブルが該ケーブルガイド部材に括り付けられることを特徴とする。
【発明の効果】
【００１７】
開示する太陽電池パネル設置装置は、施工者及び施工対象の屋根への負荷が小さく、仕様が異なる場合でも太陽電池パネルには加工を加えずに、容易に適用することができ汎用性が高い。
【図面の簡単な説明】
【００１８】
【図１】一般的な重ね式折板屋根の概要を示す図である。
【図２】本実施の形態に係る太陽電池パネル設置装置を使用し、太陽電池パネルを敷設した重ね式折板屋根を示す図である。
【図３】（ａ）本実施の形態に係るレール部材（レール構成部材）の正面斜視図である。（ｂ）本実施の形態に係るレール部材（レール構成部材）の側面斜視図である。
【図４】本実施の形態に係るレール部材を重ね式折板屋根上に設置する際の態様を示す図である。
【図５】本実施の形態に係るレール定着部材の態様を示す図である。
【図６】（ａ）本実施の形態に係るランナー部材及び片側押止部材の正面図である。（ｂ）本実施の形態に係るランナー部材及び片側押止部材の側面図である。
【図７】本実施の形態に係るレール部材並びにレール部材に装着したランナー部材及び片側押止部材の正面図である。
【図８】本実施の形態に係る片側押止部材によって太陽電池パネルをレール部材上に押止する態様を示す図である。
【図９】（ａ）本実施の形態に係るランナー部材及び両側押止部材の正面図である。（ｂ）本実施の形態に係るランナー部材及び両側押止部材の側面図である。
【図１０】本実施の形態に係るレール部材並びにレール部材に装着したランナー部材及び両側押止部材の正面図である。
【図１１】本実施の形態に係る両側押止部材によって太陽電池パネルをレール部材上に押止する態様を示す図である。
【図１２】本実施の形態に係る両側押止部材によって太陽電池パネルをレール部材上に押止する態様の別例を示す図である。
【図１３】本実施の形態に係るケーブルガイド部材の態様を説明する図である。
【発明を実施するための形態】
【００１９】
図面を参照しながら、本発明を実施するための形態について説明する。
（本実施の形態に係る太陽電池パネル設置装置の構造）
図１乃至１３を用いて、本実施の形態に掛かる太陽電池パネル設置装置（以下、単に「設置装置」という。）１の構造について説明する。
【００２０】
図１で示すように、設置装置１は、折板屋根の固定方法の中でも、最もオーソドックスな方法であるということができる重ね式折板屋根（以下、単に「屋根」という。）３８を施工対象としている。つまり、図２で示すように、設置装置１は、屋根３８の上に、１つ以上の太陽電池パネル（以下、単に「パネル」という。）４４を敷設する場合に、屋根３８の上にパネル４４を固定的に設置するための装置である。
【００２１】
図１及び図２で示すように、屋根３８は、材質は金属製であり、高くなった山部位４０と低くなった谷部位とが交互に現れる外形状をしている。そして、屋根３８の山４０の頂上は、少し平らになっており、屋根３８の断面は所謂台形形状となっている。また、屋根３８の下には、タイトフレームと呼ばれる部材が埋設されており、そのタイトフレームから延びるタイトフレームボルト４２及びナットによって、屋根３８とタイトフレームとが固定される。そのような理由から、図１及び図２で示すように、屋根３８上には所定間隔でタイトフレームボルト４２が突出した状態となっている。
【００２２】
また、設置装置１が敷設するパネル４４は、製造メーカーが多数存在し、一つの製造メーカー内でも様々な種類・仕様のものが存在するが、設置装置１は、パネル４４の種類・仕様を問わず、パネル４４に何らの加工を加えなくても、屋根３８上への敷設が可能である。
設置装置１は、レール部材２、ランナー部材１２、パネル押止部材１８、レール定着部材３２、ケーブルガイド部材５０を有する。
【００２３】
図３で示すように、レール部材２は、長手方向の断面形状がＣの字型を成している部材である。また、図４で示すように、レール部材２は、屋根３８の連なる山４０を直角に横切る方向に設置され、かつ、Ｃの字の開口部６を屋根３８と反対方向（屋根３８の直上方向）に向けて設置される。さらに、レール部材２は、屋根３８上に突出しているタイトフレームボルト４２と接触しないように配置され、かつ、屋根３８上に直に設置される。
【００２４】
また、レール部材２は、屋根３８上に直に設置されると共に、レール部材２上にパネル４４が載置される構成であるため、レール部材２の高さは、屋根３８上に突出しているタイトフレームボルト４２の高さより高いことが必要である。
【００２５】
図３（ａ）で示すように、レール部材２は、底面に、屋根３８の山４０の間隔に合わせて、屋根３８上に固定するためのボルト等を通す開口部８が１つ以上設けられている。図５で示すように、レール部材２は、屋根３８の山４０頂上に穴を開け、その穴に挿入されたターンナット部材３４、漏水防止用パッキン部材３６などを開口部８に通したボルトで締め付けることによって、屋根３８上に固定される。
【００２６】
ここで、レール部材２が成すＣの字の開口部６が屋根３８の直上方向に向いているため、開口部６から充電インパクトドライバーなどの工具をレール部材２底面まで差し込むなど、屋根３８への設置のためのボルト締め作業を容易に行うことができる。
【００２７】
なお、屋根３８の山４０頂上の穴は、漏水のリスクを軽減させるために、全ての山４０に開けるのではなく、１つ以上の山４０を隔て、例えば、１メートルの間隔で施工することが好適である。
【００２８】
また、レール部材２は、種々の長さを備える１つ以上のレール構成部材４どうしを連結して構成される。図３（ｂ）で示すように、レール構成部材４は、側面、かつ、長手方向両端部に開口部１０を備えている。そして、レール部材２は、隣り合う２つのレール構成部材４の開口部１０をジョイント部材によって連結していくことによって、適切な長さを備えた１本のレール部材２となる。このように、レール構成部材４は、例えば、３メートル、２メートル、１．５メートル、１メートルなど長さの異なるものを複数種類用意することによって、パネル４４の敷設領域の大きさ、屋根３８・パネル４４の仕様に柔軟に対応することができる。また、このような構成にすることによって、設計・施工の手間が軽減されるため、作業の効率化を図ることができ、さらには施工期間の短縮も期待することができる。
【００２９】
また、レール部材２は、コスト的なメリット及び防錆の観点を考慮し、市販のＣ形鋼材を外形状そのままに、溶融亜鉛メッキ加工を施して利用することが好適である。
【００３０】
図６で示すように、ランナー部材１２は、コの字型の断面形状を成す部材である。また、図４及び図７で示すように、ランナー部材１２は、レール部材２内部に、コの字の開口部１４をレール部材２底面に向け、レール部材２長手方向に滑り動くことが可能な状態に設置される。パネル４４の種類・仕様によりランナー部材１２の位置を自在に変更することで、設置装置１は、パネル４４の仕様に柔軟に対応することができる。
【００３１】
パネル押止部材１６は、ランナー部材１２に係止され、パネル４４をレール部材２に当接させた状態で上からに押さえ付けることによって、パネル４４の位置を固定する部材である。パネル押止部材１６は、パネル４４を片側でのみレール部材２上に押さえ付ける機能を有する片側押止部材１８、パネル４４を左右両側でレール部材２上に押さえ付ける機能を有する両側押止部材２６を有する。片側押止部材１６は、屋根３８上における太陽電池パネル敷設領域の端部４６で使用するものであり、両側押止部材２６は、屋根３８上における太陽電池パネル敷設領域の端部４６以外、つまり当該領域の内部４８で使用するものである。
【００３２】
図６及び図７で示すように、片側押止部材１８は、３つの高さを有する階段状の部材である。片側押止部材１８は、高い段の方から、パネル４４端部を上方向から押さえる機能を担う第一部位２０、ランナー部材１２とボルトによって係止させる機能を担う第二部位２２及びレール部材２と当接し片側押止部材１８の姿勢を支持する役割を担う第三部位２４を有する。
【００３３】
図８で示すように、設置装置１では、パネル４４を設置するにあたり、ランナー部材１２をレール部材２内で適切な位置へ移動させ、その位置において、片側押止部材１８でパネル４４端部を上から押さえ、第一部位２０とレール部材２とで挟み込んでパネル４４を固定する。このようにすることで、設置装置１は、種類・仕様によるパネル４４の広さに関するバラツキは、レール部材２の設置位置及びランナー部材１２の設置位置の変更で、問題なく対応することができる。なお、種類・仕様によるパネル４４の高さに関するバラツキについては、第一部位２０及び第三部位２４の高低差を調整することによって容易に対応することができる。
【００３４】
図９及び図１０で示すように、両側押止部材２６は、それぞれの機能を有する２つの部位を有する部材である。両側押止部材２６は、パネル４４端部を上方向から押さえる機能を担う第四部位２８及びランナー部材１２とボルトによって係止させる機能を担う第五部位３０を有する。
【００３５】
図１１で示すように、設置装置１では、パネル４４を設置するにあたり、ランナー部材１２をレール部材２内で適切な位置へ移動させ、その位置において、両側押止部材２６で左右両側にあるパネル４４の両端部を上から押さえ、第四部位２８とレール部材２とで挟み込んでパネル４４を固定する。
【００３６】
図１２で示すように、両側押止部材２６は、第五部位３０（中央部）が凹んでおり、第四部位２８（両端部）が盛り上がっている形状であっても良い。図１２で示すように、設置装置１では、パネル４４を設置するにあたり、ランナー部材１２をレール部材２内で適切な位置へ移動させ、その位置において、両側押止部材２６で左右両側にあるパネル４４の両端部を上から押さえ、第四部位２８とレール部材２とで挟み込んでパネル４４を固定する。
【００３７】
図１１及び図１２で示すように、設置装置１は、種類・仕様によるパネル４４の広さに関するバラツキは、レール部材２の設置位置及びランナー部材１２の設置位置の変更で、問題なく対応することができる。なお、種類・仕様によるパネル４４の高さに関するバラツキについても、ランナー部材１２と両側押止部材２６とを係止するボルトの締める高さを調整することによって容易に対応することができる。
【００３８】
ケーブルガイド部材５０は、パネル４４に付属するケーブル類５８を屋根３８に着かないように離した状態で、拘持するための部材である。ケーブル類５８が屋根３８に着いた状態で放置された場合、屋根３８が腐食する恐れがあるため、ケーブル類５８を屋根３８から離した状態に保つことで、屋根３８の腐食を防ぐ。
【００３９】
図１３で示すように、ケーブルガイド部材５０は、２段の階段形状をしており、各段中央部には開口部が設けられている。ケーブルガイド部材５０の下段の開口部５２は、レール部材２底面の開口部８にボルト止めするためのものである。ケーブルガイド部材５０の上段の開口部５４は、そこに通した結束バンド５２でケーブル類５４を束ね、開口部５４付近にケーブル類５８を括り付けるためのものである。
【００４０】
ここで、設置装置１を用いてパネル４４を屋根３８に敷設するとき、１つのパネル４４は、片側３つ程度のパネル押止部材１６を用いて固定されることが好適である。また、屋根３８に敷設されるパネル４４は、対向する両端をパネル押止部材１６によって固定されるため、１つのパネル４４につき６つ程度のパネル押止部材１６を用いて固定されることが好適である。
【００４１】
また、レール部材２は、屋根３８の山４０を横切る方向にのみ設置されるため、設置装置１は、パネル４４の対向する端部２組のうち１組の端部をパネル押止部材１６で固定する。そして、複数のパネル４４を敷設する場合、一のパネル４４の上記固定されない１組の端部と、一のパネル４４とレール部材２長手方向で隣り合う他のパネル４４の上記固定されない１組の端部とは、原則的に、何らの器具も隔てずに隣接することとなる。
（本実施の形態に係る太陽電池パネル設置装置の使用方法）
【００４２】
設置装置１の使用方法（施工方法）について順番に説明する。ただし、必ずしも、以下で説明する施工方法を採用しなければならないわけではなく、各工程の順番を入れ替えたり、任意の工程を挿入したりしても良い。
【００４３】
（工程１）平行に配置されるレール部材２間の間隔など、レール構成部材４（レール部材２）の全体の配置を検討し、レール構成部材４を屋根３８上に仮置きする。このとき、レール構成部材４が既存のタイトフレームボルト４２と接触しないように、全体の配置構成を検討する。また、レール構成部材４、屋根３８の山４０を横切る方向に仮置きされる。
（工程２）レール部材２の全体の配置構成が定まったら、両端のレール部材２に糸を張り、レール部材２の長手方向に方向を揃える。
（工程３）レール部材２について、屋根３８の山４０と同じ方向の墨出しを行う。
【００４４】
（工程４）工程１で仮置きしたレール部材２に基準列を決め、その基準列となるレール部材２に、パネル押止部材１６を設置する位置の墨出しを行う。この作業によって、パネル４４を固定するために必要なパネル押止部材１６（ランナー部材１２）の必要個数が分かる。
（工程５）ランナー部材１２にボルト部材（Ｍ８ボルト）を取り付ける。
【００４５】
（工程６）工程１で仮置きしたレール構成部材４に、工程５でボルト部材を取り付けたランナー部材１２を必要個数（パネル４４を固定するために必要な個数）だけ挿入する。このとき、挿入するランナー部材１２の個数を間違えないように注意する必要がある。
【００４６】
（工程７）レール部材２の固定位置を決定し、屋根３８の山４０頂上に、ターンナット部材３４の取付位置（山４０に穴を開ける位置）の墨出しを行う。ターンナット部材３４の取付位置は、雨漏りリスク軽減のため、約１メートルの間隔を取ることが好適である。
【００４７】
（工程８）工程７で墨出しを行った位置に、ルーフドリルなどを使用して穴開け作業を行う。このとき、折板どうしが重なっている部分には穴を開けないよう注意する。
【００４８】
（工程９）工程８で開けた穴に、ターンナット部材３４を挿入しボルト部材を立てる。ボルト部材をターンナット部材３４に入れるときは、半回転ほど左回転させた後、右回転させることに注意する。無理に始めから右回転を行うと、ターンナット部材３４のナット部分が外れて、屋３８根裏へ落ちる可能性があるからである。
（工程１０）工程９で立てたボルト部材にパッキン部材３６を挿入する。
（工程１１）工程９で立てたボルト部材に傘座金を挿入する。
（工程１２）レール構成部材４の開口部８に工程９で立てたボルト部材を通し、レール構成部材４を工程１１で挿入した傘座金の上に設置する。
（工程１３）工程９で立てたボルト部材にワッシャー及びスプリングワッシャーを挿入する。
（工程１４）工程９で立てたボルト部材に袋ナットを取り付けた後、締め付ける。
【００４９】
（工程１５）隣り合うレール構成部材４の側面開口部１０どうしをＬ型部材などのジョイント部材によって内側から連結していく。こうすることによって、１本のレール部材２が構成される。ここまでの作業によって、複数本のレール部材２が屋根３８上に平行に配置され、パネル４４固定に適切な位置にランナー部材も配置されている。
【００５０】
（工程１６）パネル４４を敷設する領域の端部４６から、レール部２上にパネル４４を配置して糸を張り、パネル４４の端部の並びを揃える。そして、ランナー部材１２に取り付けられたボルト部材に片側押止部材１８を取り付けた後、片側押止部材１８でパネル４４を固定する。
【００５１】
（工程１７）ケーブルガイド部材５０をレール部材２の裏側に当て、下段開口部５２とレール部材２の底面開口部８の余った部位とをボルト止めする。そして、ケーブルガイド部材５０の上段開口部５４に結束バンド５２を通し、ケーブル類５４を束ね開口部５４付近に括り付ける。
【００５２】
（工程１８）パネル４４を敷設する領域の端部４６にパネル４４を固定した後、内部４８にもパネル４４を並置させ、両側押止部材２６でパネル４４を固定していく。このとき、一列毎にパネル４４の並びが揃っているかを確認した後、次列の作業に進むようにする。
【００５３】
（工程１９）工程１６に対応する一方の端部４６まで作業が進んだら、ランナー部材１２に取り付けられたボルト部材に片側押止部材１８を取り付けた後、片側押止部材１８でパネル４４を固定する。これで、パネル４４の設置作業は終了する。
（総括）
【００５４】
設置装置１は、レール部材２を直に屋根３８上に固定し、レール部材２とパネル押止部材１６とでパネル４４を挟み込むことによって、パネル４４を屋根３８上に固定する構成であるため、部品点数が少なく軽量であるため、屋根３８に掛ける負担が小さい。
【００５５】
設置装置１は、レール部材２を直に屋根３８上に固定し、レール部材２とパネル押止部材１６とでパネル４４を挟み込むことによって、パネル４４を屋根３８上に固定する構成であるため、引き抜き強度が高く、強風によりパネル４４が飛ばされるリスクが小さい。
【００５６】
設置装置１は、タイトフレームボルト４２を全く使用せずに、パネル４４を屋根３８上に固定する構成であるため、特に、ボルト４２が錆びている場合が多い既存の屋根３８への適用が好適である。錆びているボルト４２の取り外しを無理に行うと雨漏りに繋がるリスクが大きいため、設置装置１は、雨漏りリスクの軽減に有効である。
設置装置１は、パネル４４の種類・仕様によらず、パネル４４には何らの加工を施すことなく、屋根３８上へのパネル４４の設置が可能である。
設置装置１は、パネル４４の広さに関する仕様によらず、構成部品に何らの加工を施すことなく、屋根３８上へのパネル４４の設置が可能である。
【００５７】
設置装置１は、パネル４４、屋根３８に関する種類・仕様の多様性に対する汎用性が高いため、パネル４４の施工を行う販売店などは、設置装置１の在庫を抱えるリスクが小さくなり、パネル４４の販売促進の観点から非常に有利である。
【００５８】
以上、本発明の実施の形態について詳述したが、本発明は係る特定の実施の形態に限定されるものではなく、特許請求の範囲に記載された本発明の要旨の範囲において、種々の変形・変更が可能である。
【符号の説明】
【００５９】
１    太陽電池パネル設置装置
２    レール部材
４    レール構成部材
６    レール部材が成すＣの字の開口部
８    レール部材底面の開口部
１０  レール部材側面の開口部
１２  ランナー部材
１４  ランナー部材が成すコの字の開口部
１６  パネル押止部材
１８  片側押止部材
２０  片側押止部材の第一部位
２２  片側押止部材の第二部位
２４  片側押止部材の第三部位
２６  両側押止部材
２８  両側押止部材の第四部位
３０  両側押止部材の第五部位
３２  レール定着部材
３４  ターンナット部材
３６  漏水防止用パッキン部材
３８  重ね式折板屋根
４０  重ね式折板屋根の山
４２  タイトフレームボルト
４４  太陽電池パネル
４６  太陽電池パネルを敷設する領域の端部
４８  太陽電池パネルを敷設する領域の内部
５０  ケーブルガイド部材
５２  ケーブルガイド部材の下段開口部
５４  ケーブルガイド部材の上段開口部
５６  結束バンド
５８  太陽電池パネルに付属するケーブル類
【図１】
2014201973.tif 000003
【図２】
2014201973.tif 000004
【図３】
2014201973.tif 000005
【図４】
2014201973.tif 000006
【図５】
2014201973.tif 000007
【図６】
2014201973.tif 000008
【図７】
2014201973.tif 000009
【図８】
2014201973.tif 000010
【図９】
2014201973.tif 000011
【図１０】
2014201973.tif 000012
【図１１】
2014201973.tif 000013
【図１２】
2014201973.tif 000014
【図１３】
2014201973.tif 000015
【手続補正書】
【提出日】平成25年6月12日(2013.6.12)
【手続補正１】
【補正対象書類名】特許請求の範囲
【補正対象項目名】全文
【補正方法】変更
【補正の内容】
【特許請求の範囲】
【請求項１】
重ね式折板屋根上に、タイトフレームボルトを利用せずに、１つ以上の太陽電池パネルを設置するための太陽電池パネル設置装置であって、
Ｃの字型の断面形状を成し、前記重ね式折板屋根が成す山谷形状の山の部位を横切る方向に、前記重ね式折板屋根上に直に、前記Ｃの字の開口部を前記重ね式折板屋根の直上方向に向けて設置されるレール部材と、
コの字型の断面形状を成し、前記レール部材の内側で滑り動くことが可能な状態に、前記コの字の開口部を前記レール部材底面に向けて設置されるランナー部材と、
前記ランナー部材に係止され、前記太陽電池パネルを前記レール部材に当接させた状態で押止するためのパネル押止部材と、
前記レール部材を、前記重ね式折板屋根上の所定位置に定着させるレール定着部材と、を有し、
一の前記太陽電池パネルの対向する両端部が前記レール部材で保持され、
前記レール部材の高さが、前記重ね式折板屋根上に突出している前記タイトフレームボルトの高さより高く、
前記パネル押止部材が、前記太陽電池パネルを敷設する領域の端部において１つの前記太陽電池パネルを押止する片側押止部材と、前記太陽電池パネルを敷設する領域の内部において左右両側に２つの前記太陽電池パネルを押止する前記両側押止部材と、を含み、
前記片側押止部材が、前記太陽電池パネルを上から押さえる第一部位、該第一部位より低い位置にあり前記片側押止部材を前記ランナー部材にボルト止めする第二部位及び該第二部位より低い位置にあり前記レール部材に接する第三部位から成る三段の階段形状であり、
前記両側押止部材が、前記太陽電池パネルを上から押さえる第四部位及び前記両側押止部材を前記ランナー部材にボルト止めする第五部位から成る二段の階段形状であることを特徴とする太陽電池パネル設置装置。
【請求項２】
レール定着部材が、ターンナット部材を含み、
前記レール部材底面には、該レール部材長手方向に、前記重ね式折板屋根が成す山谷形状の山の部位の間隔に合わせた所定の間隔で開口部が設けられ、
前記重ね式折板屋根が成す山谷形状の山の部位の頂上部に穴を開け、該穴に前記ターンナット部材を挿入し、漏水防止用パッキン部材と共に、前記レール部材底面に備わる前記開口部に通したボルト部材で締め付けることによって、前記レール部材を前記重ね式折板屋根上に定着させることを特徴とする請求項１に記載の太陽電池パネル設置装置。
【請求項３】
前記重ね式折板屋根が成す山谷形状における１つ以上の山を隔てた所定の間隔で、前記重ね式折板屋根が成す山谷形状の山の部位の頂上部に穴が開けられることを特徴とする請求項２に記載の太陽電池パネル設置装置。
【請求項４】
前記レール部材が、異なる長さのレール構成部材どうしを、該各レール構成部材の側面に設けた開口部を利用して連結することで形成されることを特徴とする請求項１乃至３の何れか一に記載の太陽電池パネル設置装置。
【請求項５】
前記太陽電池パネルが備えるケーブルを前記重ね式折板屋根から離した状態で拘持するケーブルガイド部材を有し、
前記ケーブルガイド部材が、前記レール部材底面に備わる開口部にボルト止めされ、
前記ケーブルガイド部材が備える穴に通した結束バンドによって、前記ケーブルが該ケーブルガイド部材に括り付けられることを特徴とする請求項２に記載の太陽電池パネル設置装置。